(57)【要約】【課題】希望波であるＯＦＤＭ信号におけるシンボル同期が取れない干渉波が存在しても、ＳＩＮＲを向上させることが可能な干渉波除去装置を提供する。【解決手段】本発明のマルチアンテナ受信機は、出力電力最小基準アルゴリズムにより、複数のアンテナにより受信した受信信号に含まれる干渉波を抑圧するアンテナの第１の重み係数を算出し、シンボル同期を取得し、シンボル同期が取得されると第１の重み係数を１とする出力電力最小化部と、アンテナ毎に受信された受信信号に対し、シンボル同期によりシンボル単位にてフーリエ変換を行い、シンボルデータとして出力するフーリエ変換部と、フーリエ変換されたサブキャリア毎のシンボルデータに乗算する第２の重み係数を算出し、当該第２の重み係数に基づいて、サブキャリア毎に重み付け合成を行う重み付け合成部と、重み付け合成後の信号を復調する復調部とを有する。【選択図】図１
2010226463.tif 000002
【特許請求の範囲】
【請求項１】
出力電力最小基準アルゴリズムにより、複数のアンテナにより受信した受信信号に含まれる干渉波を抑圧する前記アンテナの第１の重み係数を算出し、シンボル同期を取得し、シンボル同期が取得されると前記第１の重み係数を１とする出力電力最小化部と、
前記アンテナ毎に受信された前記受信信号に対し、前記シンボル同期によりシンボル単位にてフーリエ変換を行い、シンボルデータとして出力するフーリエ変換部と、
フーリエ変換されたサブキャリア毎のシンボルデータに乗算する第２の重み係数を算出し、当該第２の重み係数に基づいて、サブキャリア毎に重み付け合成を行う重み付け合成部と、
重み付け合成後の信号を復調する復調部と
を有するマルチアンテナ受信機。
【請求項２】
前記重み付け合成部が、前記第２の重み係数の算出を行う際、前記第１の重み係数を初期値として算出処理を行うことを特徴とする請求項１に記載のマルチアンテナ受信機。
【請求項３】
前記受信信号がＯＦＤＭ信号またはＴＤＭＡ信号であることを特徴とする請求項１または請求項２に記載のマルチアンテナ受信機。
【請求項４】
出力電力最小化部が出力電力最小基準アルゴリズムにより、複数のアンテナにより受信した受信信号に含まれる干渉波を抑圧する前記アンテナの第１の重み係数を算出し、シンボル同期を取得し、シンボル同期が取得されると前記第１の重み係数を１とする出力電力最小化過程と、
フーリエ変換部が、前記アンテナ毎に受信された前記受信信号に対し、前記シンボル同期によりシンボル単位にてフーリエ変換を行い、シンボルデータとして出力するフーリエ変換過程と、
重み付け合成部が、フーリエ変換されたサブキャリア毎のシンボルデータに乗算する第２の重み係数を算出し、当該第２の重み係数に基づいて、サブキャリア毎に重み付け合成する重み付け合成過程と、
復調部が重み付け合成後の信号を復調する復調過程と
を有するマルチアンテナ受信機を用いた受信方法。
【発明の詳細な説明】
【技術分野】
【０００１】
本発明は、ＯＦＤＭ（Orthogonal Frequency Division Multiplexing）システムにおいて、周波数軸上において隣接するチャネルからの干渉波を除去して所望波を受信するマルチアンテナ受信機及びマルチアンテナ受信機を用いた受信方法に関する。
【背景技術】
【０００２】
ＯＦＤＭシステムにおいては、アンテナにより受信した受信信号から、ＯＦＤＭ信号におけるＯＦＤＭシンボル各々のシンボル同期タイミングを、ＯＦＤＭ信号のパケットの先端に設けられたプリアンブルなどを利用して検出している。このシンボル同期タイミングにおいて、ＯＦＤＭシンボルに対してＦＦＴを行うタイミングを高精度に同期させることで受信信号の復号を行っている（例えば、特許文献１参照）。
しかしながら、周波数軸上にて隣接して存在するチャネルからの大電力のスプリアス干渉波（Ｄ／Ｕ＝−２０ｄＢ程度であり、不要波などの不必要な成分により生じる干渉波であり、以下、大電力干渉波とする）が存在する場合、上述したシンボル同期タイミングを検出することができず、参照信号を利用したＭＭＳＥ（Minimum Mean Square Error）などによる干渉除去ができない。
【先行技術文献】
【特許文献】
【０００３】
【特許文献１】特開２００５−２６９０２６号公報
【発明の概要】
【発明が解決しようとする課題】
【０００４】
そのため、参照信号を用いずに大電力干渉を抑圧するため、ＳＩＲ（Signal to Interference Ratio；信号対干渉比）を入力と出力とで反転させることができる出力電力最小化法、例えばＰＩＡＡ（Power Inversion Adaptive Array ）を適用することは一つの有効な手段である。
しかしながら、熱雑音の影響や信号レベルの落ち込み、希望波（所望波）と干渉波の到来方向が近い場合に、干渉波の到来方向にヌルを向けた影響により、希望波を抑圧することになる。
この結果、出力電力最小化法により、干渉波に対するＤ／Ｕの数値が改善したとしても、ＳＩＮＲ（Signal to Interference and Noise Ratio；信号対干渉プラス雑音電力比）が小さくなってしまう場合があり、このときの各アンテナに乗じられる重み係数はＳＩＮＲを最大にするという観点からは最適な重みではないという欠点がある。
【０００５】
本発明は、このような事情に鑑みてなされたもので、その目的は、希望波におけるＯＦＤＭ信号におけるシンボル同期が取れない干渉波が存在しても、ＳＩＮＲを向上させることが可能な干渉波除去装置を提供することにある。
【課題を解決するための手段】
【０００６】
本発明のマルチアンテナ受信機は、出力電力最小基準アルゴリズムにより、複数のアンテナにより受信した受信信号に含まれる干渉波を抑圧する前記アンテナの第１の重み係数を算出し、シンボル同期を取得し、シンボル同期が取得されると前記第１の重み係数を１とする出力電力最小化部と、前記アンテナ毎に受信された前記受信信号に対し、前記シンボル同期によりシンボル単位にてフーリエ変換を行い、シンボルデータとして出力するフーリエ変換部と、フーリエ変換されたサブキャリア毎のシンボルデータに乗算する第２の重み係数を算出し、当該第２の重み係数に基づいて、サブキャリア毎に重み付け合成を行う重み付け合成部と、重み付け合成された信号を復調する復調部とを有する。
【０００７】
本発明のマルチアンテナ受信機は、前記重み付け合成部が、前記第２の重み係数の算出を行う際、前記第１の重み係数を初期値として算出処理を行うことを特徴とする。
【０００８】
本発明のマルチアンテナ受信機は、前記受信信号がＯＦＤＭ信号またはＴＤＭＡ（Time Division Multiple Access）信号であることを特徴とする。
【０００９】
本発明のマルチアンテナ受信機は、出力電力最小化部が出力電力最小基準アルゴリズムにより、複数のアンテナにより受信した受信信号に含まれる干渉波を抑圧する前記アンテナの第１の重み係数を算出し、シンボル同期を取得し、シンボル同期が取得されると前記第１の重み係数を１とする出力電力最小化過程と、フーリエ変換部が、前記アンテナ毎に受信された前記受信信号に対し、前記シンボル同期によりシンボル単位にてフーリエ変換を行い、シンボルデータとして出力するフーリエ変換過程と、重み付け合成部が、フーリエ変換されたサブキャリア毎のシンボルデータに乗算する第２の重み係数を算出し、当該第２の重み係数に基づいて、サブキャリア毎に重み付け合成を行う重み付け合成過程と、復調部が重み付け合成された信号を復調する復調過程とを有する。
【発明の効果】
【００１０】
この発明によれば、 干渉波の強度が高い場合においても、出力電力最小化規範により各アンテナの第１の重み係数を求め、各アンテナの出力に乗算してＤ／Ｕを改善することにより、シンボル同期が取得できた後、上記第１の重み係数を１に戻して、ＯＦＤＭあるいはＴＤＭＡのパケットにおけるパイロットのシンボルにより、ＭＭＳＥによる第２の重み係数を算出して各キャリア毎に乗ずることにより、所望信号とシンボル同期がとれない干渉波が存在する場合にも、マルチアンテナ信号処理によるシンボル同期を取得し、かつＭＭＳＥによる重み付け合成処理を行うことによりＳＩＮＲを改善させることができる。
【図面の簡単な説明】
【００１１】
【図１】本発明の第１及び第２の実施形態によるマルチアンテナ受信機の構成例を示すブロック図である。
【図２】図１によるマルチアンテナ受信機による、受信信号の処理の動作例を説明するフローチャートである。
【図３】ＯＦＤＭ信号のパケットの構成を示す概念図である。
【発明を実施するための形態】
【００１２】
＜第１の実施形態＞
以下、図面を参照して、本発明の第１の実施形態について説明する。図１は、この発明の一実施形態によるマルチアンテナ受信機の構成例を示す概略ブロック図である。本実施形態のマルチアンテナ受信機は、アンテナ１−１〜１−ｎ、第１の重み係数乗算器２−１〜２−ｎ、ＧＩ除去部３−１〜３−ｎ、ＦＦＴ部４−１〜４−ｎ、ＭＭＳＥ部５−１〜５−ｍ、復調部６−１〜６−ｍ、ＰＳ変換部７及び出力電力最小化部８を有している。
【００１３】
出力電力最小化部８は、出力電力最小化基準に基づき、アンテナ１−１〜１−ｎの出力する受信信号各々に乗算する第１の重み係数を変更しつつ順次、第１の重み係数乗算器２−１〜２−ｎに与え、各アンテナから出力される信号の重み付け合成後の電力が最小電力となる第１の重み係数を算出する。
ここで、上記出力電力最小化基準は、ブラインドで行われる（参照信号を必要としない）ものである。出力電力最小化部８は、この出力電力最小化基準を用いて、所定の評価関数を最小にする解が０にならないように、アンテナ素子の１つの重みを１にしている。また、本実施形態における説明において、総入射信号数と受信するアンテナ素子の数は等しく、所望波は１波であり、干渉波電力が所望波電力より十分大きい（干渉波電力≫所望波電力）と仮定している。
このため、評価関数の解を０以外に設定して、希望波の出力を得るための拘束条件のもとで、各アンテナの出力に重み付け合成し、この合成された出力の電力が最小になるように、重み付け合成に用いる第１の重み係数を設定する。そして、出力電力最小化部８がこの第１の重み付け係数を用いて、各アンテナから出力される受信信号の重み付け合成を行い、この重み付け合成後の出力電力の最小化を行なうことにより、希望波の出力電力を確保するとともに、不要な干渉波の出力電力を低減させることができ、不要波である干渉波の除去を行うことができる。
【００１４】
第１の重み係数乗算器２−１〜２−ｎの各々は、出力電力最小化部８から与えられる第１の重み係数を、それぞれが接続されたアンテナが出力する受信信号に乗算する。
ＧＩ除去部３−１〜３−ｎの各々は、アンテナ１−１、１−２、…、１−ｎのそれぞれに設けられ、シンボルに設けられたガードインターバルを除去する。
ガードインターバルが除去された信号は、次段のＦＦＴ部４−１〜４−ｎそれぞれに出力される。
【００１５】
ＦＦＴ部４−１〜４−ｎ各々は、対応するＧＩ除去部から入力されるシンボル（受信信号のパケットにおけるデータ）をフーリエ変換し、サブキャリア毎の周波数帯域のスペクトル強度を、サブキャリアに対応するＭＭＳＥ部へ出力する。例えば、ＦＦＴ部４−１〜４−ｎは、周波数帯域ｆ１のサブキャリアのシンボルデータを、周波数帯域ｆ１に対応するＭＭＳＥ部５−１へ出力し、同様に、周波数帯域ｆｍのサブキャリアのシンボルデータを、周波数帯域ｆｍに対応するＭＭＳＥ部５−ｍへ出力する。
【００１６】
ＭＭＳＥ部５−１〜５−ｍの各々は、ＭＭＳＥ処理（アダプティブアレーアンテナの合成ウェイトの算出アルゴリズムとしてＭＭＳＥを用いた処理、以下、ＭＭＳＥ）によりシンボルを算出、すなわち参照信号のシンボルデータと、ＯＦＤＭ信号のパケットに含まれているトレーニング用のパイロットのシンボルデータ（後述するが、図３のプリアンブル領域の後に設けられているパイロット）とを用い、ウェイト生成アルゴリズムにより、シンボルデータに対して乗算する第２の重み係数（ＭＭＳＥ重みである合成ウェイト）をウェイト生成アルゴリズムに従って算出する。
また、ＭＭＳＥ部５−１〜５−ｍの各々は、ＦＦＴ部４−１〜４−ｎから入力されるシンボルデータに上記第２の重み係数を乗算し、同様の周波数帯域のサブキャリア単位にてデータの合成を行う。このウェイト生成アルゴリズムは、例えばＲＬＳ（Recursive Least Squares）アルゴリズム等である。
復調部６−１〜６−ｍの各々は、それぞれ対応するＭＭＳＥ部から入力される、同様の周波数帯域のサブキャリアのデータが合成されたシンボルデータの復調を行う。
ＰＳ変換部７は、復調部６−１〜６−ｍで復調されたデータを、並列から直列に変換して出力する。
【００１７】
次に、図１及び図２を参照し、本実施形態によるマルチアンテナ受信機によるＯＦＤＭ信号の受信処理の動作を説明する。図２は本実施形態によるマルチアンテナ受信機によるＯＦＤＭ信号の受信処理の動作例を示すフローチャートである。
出力電力最小化部８は、受信したＯＦＤＭ信号（図３に示す構成）のプリアンブル領域（予め設定されているパイロットシンボル、トレーニング用のパイロットシンボルと同様でも異なっていても良い）にて、アンテナ１−１〜１−ｎから出力された受信信号に対し、第１の重み付け係数を用いて重み付け合成した後の出力電力が最小となるように、出力電力最小化基準に基づいて、第１の重み係数を算出する（ステップＳ１）。
【００１８】
ここで、出力電力最小化部８は、アンテナ１−１〜１−ｎそれぞれに対応する第１の重み係数乗算器２−１〜２−ｎの各々に対して順次、第１の重み係数を生成して出力する。
そして、第１の重み係数乗算器２−１〜２−ｎの各々は、入力される第１の重み係数を、対応するアンテナから出力された受信信号である複素信号に乗算する。
出力電力最小化部８は、各アンテナから入力される受信信号の重み付け合成された信号が最小になるように第１の重み係数を算出し、この重み付け合成された信号を図示しないシンボル同期制御部に通知する。
【００１９】
干渉波の電力が排除されたことにより、図示しない制御部が出力電力最小化部８からの通知により、シンボル同期を取得し（ステップＳ２）、このシンボル同期のタイミング毎に、ＧＩ除去部３−１〜３−ｎ、ＦＦＴ部４−１〜４−ｎ、ＭＭＳＥ部５−１〜５−ｍ、復調部６−１〜６−ｍ、ＰＳ変換部７のそれぞれに、シンボル同期信号を出力する。
【００２０】
そして、上記制御部は、シンボル同期が取得された場合、出力電力最小化部８に対し、第１の重み係数乗算器２−１〜２−ｎに対して出力している第１の重み係数を、各アンテナから入力される受信信号の重み付け合成された電力を最小にする数値から「１」に変更する制御信号を出力する。
この制御信号が入力されると、出力電力最小化部８は、アンテナ１−１〜１−ｎのそれぞれに対して出力している第１の重み係数を１に変更する（ステップＳ３）。
これにより、アンテナ１−１〜１−ｎのそれぞれから出力される受信信号がそのままの電力にてＧＩ除去部３−１〜ＧＩ除去部３−ｎに対して入力されることになる。
このとき、すでにシンボル同期は取得されているため、干渉波の電力が大きくとも、後の処理はこの取得されたシンボル同期のタイミングにて行われることになる。
【００２１】
次に、ＧＩ除去部３−１〜３−ｎの各々は、上記シンボル同期のタイミングにより、各シンボルに付加されているガードインターバルを除去し、それぞれが接続されている（対応する）ＦＦＴ部４−１〜４−ｎのそれぞれに対してシンボルを出力する。
シンボルが入力されると、ＦＦＴ部４−１〜４−ｎの各々は、入力されるシンボルのフーリエ変換を行い、対応するＭＭＳＥ部５−１〜５−ｍのそれぞれに対し、フーリエ変換後のシンボルデータを出力する（ステップＳ４）。
例えば、ＦＦＴ部４−１は、シンボルのフーリエ変換を行い、周波数帯域ｆ１〜ｆｍの各々を、すなわち周波数帯域ｆ１をＭＭＳＥ部５−１、…、周波数帯域ｆｍをＭＭＳＥ部５−ｍへ出力する。他のＦＦＴ部４−２〜４−ｎも同様の処理を行う。
【００２２】
そして、ＭＭＳＥ部５−１〜５−ｍの各々は、対応する周波数帯域ｆ１〜ｆｍのそれぞれのサブキャリア毎にＭＭＳＥによる重み付け合成を行い、合成されたシンボルデータを出力する（ステップＳ５）。
例えば、ＭＭＳＥ部５−１は、周波数帯域ｆ１のサブキャリアのパイロット（パケットに付加された）のシンボルと、参照信号として予め設定されているシンボルとを比較し、差分が最も小さくなる第２の重み係数を最小平均２乗誤差法（すなわち、ＭＭＳＥ）などにより、ＦＦＴ部４−１〜４−ｎのそれぞれから入力されるシンボルデータ毎に求める。他のＭＭＳＥ部５−２〜５−ｎも、ＭＭＳＥ部５−１と同様に、自身に入力されるサブキャリアのシンボルに乗算する第２の重み係数を、ＦＦＴ部４−１〜４−ｎのそれぞれからの入力されるシンボルデータに対応して求める。
【００２３】
そして、復調部６−１〜６−ｍは、サブキャリア毎にＭＭＳＥが行われたシンボルデータの復調処理を、シンボルデータに対して行われた符号化処理の方式に対応して行う（ステップＳ７）。
復調されたデータが入力されると、ＰＳ変換部７は、例えば、復調部６−１〜６−ｍの順番に直列に並べ直して、次段の信号処理の回路へ出力する。
【００２４】
上述したように、本願発明によれば、出力電力最小化基準に基づいて、干渉波の干渉電力を抑制し、ＯＦＤＭ信号のパケットにおけるシンボル同期のタイミングを取得し、シンボル同期のタイミングが取得された後、各アンテナから出力される受信信号に対して乗じていた第１の重み係数を、出力電力最小化にて求めた数値から１に変更し、得られたシンボル同期タイミングによりフーリエ変換を行い、サブキャリア毎にＭＭＳＥを行うことにより、受信したパケットの各データのシンボルを復調している。
【００２５】
この結果、本発明によれば、所望信号との同期が取れないような強い干渉波が存在しても、出力電力最小化基準を用いたマルチアンテナ信号処理による干渉波の抑圧によってシンボル同期を取得し、その後、第１の重み係数を１として干渉波の抑圧を解除し、新たにＭＭＳＥにより第２の重み係数を算出してアンテナから出力された受信信号である複素信号に乗算することを行うことにより、シンボル同期を取りつつ、干渉波を抑圧し、かつ希望波を抑圧することなく、ＳＩＮＲを改善することが可能となる。
【００２６】
本実施形態においては、本発明のマルチアンテナ受信機を、ＯＦＤＭ（マルチキャリア）を受信するマルチアンテナ受信機の場合を例にとり説明したが、シングルキャリアのＴＤＭＡ（Time Division Multiple Access）を受信するマルチアンテナ受信機に対しても用いることができる。この場合、図１において、ＦＦＴ部４−１〜４−ｎの各々は、１つのキャリア、すなわちシングルキャリアのシンボルに対するフーリエ変換を行う。そして、ＭＭＳＥ部は、ＭＭＳＥ５の１つとなり、ＦＦＴ部４−１〜４−ｎから入力されるシンボルデータのＭＭＳＥを行う。
【００２７】
すなわち、ＴＤＭＡ信号のパケットを受信し、ＯＦＤＭの場合と同様に、出力電力最小化部８は、干渉波の電力を抑制するために行う出力電力最小化基準により、アンテナ１−１〜１−ｎの各々が出力する受信信号に対して乗算する第１の重み係数を算出する。
そして、図示しない制御部がシンボル同期をパケットのプリアンブルの領域において取得し、シンボル同期が取得された後、出力電力最小化部８に対し、第１の重み係数を１とする様に制御信号を出力する。
これにより、出力電力最小化部８は、第１の重み係数乗算器２−１〜２−ｎの全てに対して、第１の重み係数を１として出力する。
【００２８】
次に、ＧＩ除去部３−１〜３−ｎの各々は、シンボル同期のタイミングにより、パケットの各シンボルのガードインターバルを除去し、ガードインターバルを除去したシンボルを、対応する次段のＦＦＴ部４−１〜４−ｎのそれぞれに出力する。
ＦＦＴ部４−１〜４−ｎの各々は、対応するＧＩ除去部３−１〜３−ｎから入力されたシンボルのフーリエ変換を行い、変換結果のシンボルデータをＭＭＳＥ５へ出力する。
そして、ＭＭＳＥ５は、すでに述べたＭＭＳＥにより、ＦＦＴ部４−１〜４−ｎ各々から入力されるシンボルデータに、第２の重み係数を乗算して、これらを合成してシンボルデータとして出力する。
上述した処理により、本願発明は、シングルキャリアのＴＤＭＡに対しても、ＯＦＤＭと同様の効果を得ることができる。
【００２９】
＜第２の実施形態＞
以下、図面を参照して、本発明の第２の実施形態について説明する。第２の実施形態によるマルチアンテナ受信機は第１の実施形態の図１の構成と同様である。
以下、第１の実施形態と異なる動作について説明する。
第２の実施形態においては、ＭＭＳＥにおいて第２の重み係数を算出する際、第１の重み係数を初期値として算出することを特徴としている。
この第２の実施形態の場合も、第１の実施形態と同様に、シンボル同期が取得された後、第１の重み係数を１とし、このシンボル同期によりパケットのパイロットによりＭＭＳＥを行い、第２の重み係数を算出するアルゴリズムが用いられる。
【００３０】
シンボルデータに乗算する第２の重み係数は、ＦＦＴ部４−１〜４−ｎの各々に対応したアンテナの出力に乗算した第１の重み係数を初期値として、各ＭＭＳＥ部にて算出される。
例えば、ＦＦＴ部４−１から、ＭＭＳＥ部５−１〜５−ｍのそれぞれに入力されるシンボルに対して乗算される第２の重み係数の初期値を、アンテナ２−１から出力される受信信号の重み付けに用いる第１の重み係数とする。これにより、ＭＭＳＥ部５−１は、周波数帯域ｆ１のサブキャリアにおけるＭＭＳＥを行う際、ＦＦＴ４−１〜ＦＦＴ４−ｎの出力するサブキャリア毎のシンボル各々に対して乗算する第２の重み係数として、それぞれ対応するアンテナ１−１〜１−ｎの第１の重み係数を初期値とし、ＭＭＳＥ等により最適な第２の重み係数を算出する。
【００３１】
第２の実施形態によれば、出力電力最小化基準により算出した第１の重み係数は、干渉波の到来方向にヌルを向けるような指向性パターンとして、出力電力最小化部８により生成されている。
一方、ＭＭＳＥ部５−１〜５−ｍは、ＳＩＮＲを最大とする第２の重み係数を算出する。このため、第２の重み係数は、干渉波の到来方向にヌルを向けつつ、所望波を合成する指向性として生成される。
したがって、第１の重み係数を、ＳＩＮＲを最適化する際の第２の重み係数の初期値として用いることにより、干渉波の方向にヌルが向いた指向性パターンから、ＭＭＳＥによる最適値を求める場合、干渉波の方向にヌルを向けるまでの演算処理を省略することができ、ＳＩＮＲを最大化するのに最適な第２の重み係数を算出する時間を短縮することができ、ＭＭＳＥの収束に必要なパイロットシンボル数を削減することができる。
【００３２】
上述したように、本実施形態においては、時間領域で出力電力最小化基準により求められた第１の重み係数を、周波数領域におけるシンボルデータの合成における重み付けに用いる第２の重み係数の初期値として用いられる。
すなわち、各ＦＦＴ部が出力する全サブキャリアのシンボルデータの全てに対して乗算する第２の重み係数の初期値として、対応するアンテナの第１の重み係数が一様に設定されることになる。
このとき、中心周波数に対する帯域幅の割合が小さければ、信号帯域両端のサブキャリアにおける位相回転量の差が小さいので、時間領域において計算した第１の重み係数を、周波数領域で用いる第２の重み係数として一括して用いても影響がない。
ＭＭＳＥ部５−１〜５−ｍが第２の重み係数を算出する際、途中（干渉波にヌルを向ける処理）までの計算を省略することができるため、収束するまでに時間がかかるＬＭＳ（Least Mean Square）に対して特に有効となる。
【００３３】
また、図１におけるＧＩ除去部３−１〜３−ｎ、ＦＦＴ部４−１〜４−ｎ、ＭＭＳＥ部５−１〜５−ｍ、復調部６−１〜６−ｍ、ＰＳ変換部７の機能を実現するためのプログラムをコンピュータ読み取り可能な記録媒体に記録して、この記録媒体に記録されたプログラムをコンピュータシステムに読み込ませ、実行することにより干渉波除去及び受信信号の復調の処理を行ってもよい。なお、ここでいう「コンピュータシステム」とは、ＯＳや周辺機器等のハードウェアを含むものとする。
【００３４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３５】
以上、この発明の実施形態を図面を参照して詳述してきたが、具体的な構成はこの実施形態に限られるものではなく、この発明の要旨を逸脱しない範囲の設計等も含まれる。
【符号の説明】
【００３６】
１−１、１−２、１−ｎ…アンテナ
２−１、２−２、２−ｎ…第１の重み係数乗算器
３−１、３−２、３−ｎ…ＧＩ除去部
４−１、４−２、４−ｎ…ＦＦＴ部
５−１、５−ｍ…ＭＭＳＥ部
６−１、６−ｍ…復調部
７…ＰＳ変換部
８…出力電力最小化部
【図１】
2010226463.tif 000003
【図２】
2010226463.tif 000004
【図３】
2010226463.tif 000005